(57)【特許請求の範囲】
【請求項１】
所定の稼働期間と、実績発電量と、日射量と、を対応付けて記憶する実績発電情報記憶手段と、
発電所を識別する発電所名と、前記所定の稼働期間ごとの発電情報と、を対応付けて記憶する発電情報記憶手段と、
前記発電所名と、１または複数の前記発電所を特徴付ける項目と、を対応付けて記憶する発電所情報記憶手段と、
評価対象の発電所である評価発電所を特徴付ける前記項目の項目値が合致する前記発電所名を前記発電所情報記憶手段から取得し、取得した前記発電所名に対応付けられた前記発電情報を用いて算出した発電量を、前記実績発電情報記憶手段に記憶する前記日射量で補正した補正発電量を算出する発電量算出手段と、
前記発電量算出手段によって算出した前記補正発電量と、前記実績発電情報記憶手段に記憶する前記実績発電量を対比し、前記補正発電量に対し所定の基準に合致する前記実績発電量を抽出する発電量対比手段と、
前記実績発電情報記憶手段に記憶する前記実績発電量と、前記発電量算出手段によって算出した前記補正発電量と、前記発電量対比手段によって抽出した前記実績発電量と、を表示する表示手段と、
を備えることを特徴とする発電量評価装置。
【請求項２】
前記所定の稼働期間は、稼働年、稼働月、稼働日のいずれかであることを特徴とする請求項１に記載する発電量評価装置。
【請求項３】
前記実績発電情報記憶手段は、さらに所定の構成単位ごとに記憶し、
前記発電情報記憶手段は、さらに前記所定の構成単位ごとに記憶し、
前記発電量算出手段は、さらに前記所定の構成単位ごとの前記発電情報を用いて算出した発電量を、前記実績発電情報記憶手段に記憶する前記日射量で補正した補正発電量を算出すること、を特徴とする請求項１または請求項２に記載する発電量評価装置。
【請求項４】
前記所定の構成単位は、パワーコンディショナー、ストリング、アレイ、太陽電池パネル、セルのいずれか１つであることを特徴とする請求項３に記載する発電量評価装置。
【請求項５】
発電量評価装置によって実行される発電量評価方法であって、
所定の稼働期間と、実績発電量と、日射量と、を対応付けて記憶する実績発電情報記憶手段と、
発電所を識別する発電所名と、前記所定の稼働期間ごとの発電情報と、を対応付けて記憶する発電情報記憶手段と、
前記発電所名と、１または複数の前記発電所を特徴付ける項目と、を対応付けて記憶する発電所情報記憶手段と、を備え、
評価対象の発電所である評価発電所を特徴付ける前記項目の項目値が合致する前記発電所名を前記発電所情報記憶手段から取得し、取得した前記発電所名に対応付けられた前記発電情報を用いて算出した発電量を、前記実績発電情報記憶手段に記憶する前記日射量で補正した補正発電量を算出する発電量算出ステップと、
前記発電量算出ステップによって算出した前記補正発電量と、前記実績発電情報記憶手段に記憶する前記実績発電量を対比し、前記補正発電量に対し所定の基準に合致する前記実績発電量を抽出する発電量対比ステップと、
前記実績発電情報記憶手段に記憶する前記実績発電量と、前記発電量算出ステップによって算出した前記補正発電量と、前記発電量対比ステップによって抽出した前記実績発電量と、を表示する表示ステップと、
を含むことを特徴とする発電量評価方法。
【請求項６】
発電量評価装置に、
所定の稼働期間と、実績発電量と、日射量と、を対応付けて記憶する実績発電情報記憶手段と、
発電所を識別する発電所名と、前記所定の稼働期間ごとの発電情報と、を対応付けて記憶する発電情報記憶手段と、
前記発電所名と、１または複数の前記発電所を特徴付ける項目と、を対応付けて記憶する発電所情報記憶手段と、を備え、
評価対象の発電所である評価発電所を特徴付ける前記項目の項目値が合致する前記発電所名を前記発電所情報記憶手段から取得し、取得した前記発電所名に対応付けられた前記発電情報を用いて算出した発電量を、前記実績発電情報記憶手段に記憶する前記日射量で補正した補正発電量を算出する発電量算出ステップと、
前記発電量算出ステップによって算出した前記補正発電量と、前記実績発電情報記憶手段に記憶する前記実績発電量を対比し、前記補正発電量に対し所定の基準に合致する前記実績発電量を抽出する発電量対比ステップと、
前記実績発電情報記憶手段に記憶する前記実績発電量と、前記発電量算出ステップによって算出した前記補正発電量と、前記発電量対比ステップによって抽出した前記実績発電量と、を表示する表示ステップと、
を実行させることを特徴とする発電量評価プログラム。
【発明の詳細な説明】
【技術分野】
【０００１】
本発明は、発電量評価装置、発電量評価方法および発電量評価プログラム
に関する。
【背景技術】
【０００２】
近年、太陽光を利用する太陽光発電は、環境への負荷が少ないクリーンなエネルギーとして注目を集めている。太陽光発電は一般住宅向けのほか、広大な敷地に数多くの太陽電池パネルを設置し、出力が１メガワット以上の発電を行う大規模な太陽光発電所、いわゆるメガソーラーも各地で実用化されている。
【０００３】
メガソーラーを含む太陽光発電所の発電量は、発電所ごとに立地条件や自然条件、太陽電池パネルの種類やメーカー、数量が異なるため発電所それぞれで異なる。したがって、太陽光発電所への投資の可否を判断するためには、長期に渡る発電所稼働期間の発電量をできるだけ正確に算出する必要がある。このような課題を解決するため、太陽光発電所の所在地の気象情報や故障や劣化に関する情報を含む品質情報から太陽光発電所の予測稼働率や予測発電量を算出する技術が開示されている（特許文献１参照）。
【先行技術文献】
【特許文献】
【０００４】
【特許文献１】特開２０１２−２３４３３５号公報
【発明の概要】
【発明が解決しようとする課題】
【０００５】
しかしながら、特許文献１に記載されている技術では、発電量を算出する対象である太陽光発電所のみの品質情報に基づいて太陽光発電所の予測稼働率や予測発電量を算出するため、稼働開始していない発電所の予測稼働率や予測発電量を精度よく算出することができないという問題があった。また、対象発電所のみの品質情報に基づいて予測稼働率や予測発電量を算出するため、初期不良等の不測の事態が発生した場合に適切な発電量を算出できないという問題があった。
【０００６】
また、太陽光発電所に多大な融資や投資をしている銀行や投資家からは、既に稼働を開始している太陽光発電所での発電量が適切なものであるか否かを評価したいという要望が大きくなっていた。
【０００７】
本発明は、上記に鑑みてなされたものであって、太陽光発電所で発電する将来の発電量をより正確に算出することができる発電量算出装置、発電量算出方法および発電量算出プログラムと、既に稼働を開始している太陽光発電所での発電量を評価することができる発電量評価装置、発電量評価方法および発電量評価プログラムを提供することを目的とする。
【課題を解決するための手段】
【０００８】
上述した課題を解決するために、本発明では、発電所を識別する発電所名と、稼働年ごとの発電情報と、を対応付けて記憶し、発電所名と、１または複数の発電所を特徴付ける項目と、を対応付けて記憶し、発電所名、および発電量を算出する期間を示す算出期間の入力を受付け、発電所情報記憶手段に記憶する項目の入力を受付け、受付けた項目の項目値が、発電所受付手段によって受付けた発電所名に対応付けられた項目値と合致する発電所名を発電所情報記憶手段から取得し、取得した発電所名に対応付けられた発電情報を用いて、算出期間の発電量を算出し、算出した発電量を表示することを特徴とする。
【０００９】
また、本発明の他の態様では、発電所名および単位時間ごとの発電量を受信し、受信した発電所名および単位時間ごとの発電量から発電情報を算出し、発電所名に対応付けて発電情報を発電情報記憶手段に格納することを特徴とする。
【００１０】
また、本発明の他の態様では、所定の稼働期間ごとの発電情報を用い計画発電量を算出し、算出した計画発電量と、実績発電情報記憶手段に記憶する実績発電量を対比し、計画発電量に対し所定の基準に合致する実績発電量を抽出し、実績発電情報記憶手段に記憶する実績発電量と、発電量算出手段によって算出した計画発電量と、発電量対比手段によって抽出した実績発電量と、を表示することを特徴とする。
【００１１】
また、本発明の他の態様では、所定の稼働期間ごとの発電情報を用い計画発電量を算出し、算出した計画発電量を、実績発電情報記憶手段に記憶する日射量で補正した補正発電量を算出し、算出した補正発電量と、実績発電情報記憶手段に記憶する実績発電量を対比し、補正発電量に対し所定の基準に合致する実績発電量を抽出し、実績発電情報記憶手段に記憶する実績発電量と、発電量算出手段によって算出した補正発電量と、発電量対比手段によって抽出した実績発電量と、を表示することを特徴とする。
【００１２】
また、本発明の他の態様では、評価対象の発電所である評価発電所を特徴付ける項目に対応付けられた項目値が合致する発電所名を発電所情報記憶手段から取得し、取得した発電所名に対応付けられた発電情報を用いて算出した発電量を、実績発電情報記憶手段に記憶する日射量で補正した補正発電量を算出し、算出した補正発電量と、実績発電情報記憶手段に記憶する実績発電量を対比し、補正発電量に対し所定の基準に合致する実績発電量を抽出し、実績発電情報記憶手段に記憶する実績発電量と、発電量算出手段によって算出した補正発電量と、発電量対比手段によって抽出した実績発電量と、を表示することを特徴とする。
【発明の効果】
【００１３】
上記のように構成した本発明によれば、項目の項目値が、発電所受付手段によって受付けた発電所名に対応付けられた項目値と合致する発電所名を発電所情報記憶手段から取得し、取得した発電所名に対応付けられた発電情報を用いて算出期間の発電量を算出することができるため、発電所で発電する将来の発電量をより正確に算出することができるという効果を奏する。
【００１４】
また、上記のように構成した本発明によれば、発電所名および単位時間ごとの発電量を受信し、受信した発電所名および単位時間ごとの発電量から発電情報を算出し、発電所名に対応付けて発電情報を発電情報記憶手段に格納することができるため、発電に関する情報を多くの発電所から収集することができるという効果を奏する。
【００１５】
また、上記のように構成した本発明によれば、計画発電量と、実績発電情報記憶手段に記憶する実績発電量を対比し、計画発電量に対し所定の基準に合致する実績発電量を抽出することができるため、既に稼働を開始している発電所での発電量を評価することができるという効果を奏する。
【００１６】
また、上記のように構成した本発明によれば、計画発電量を、実績発電情報記憶手段に記憶する日射量で補正した補正発電量を算出し、算出した補正発電量と、実績発電情報記憶手段に記憶する実績発電量を対比し、補正発電量に対し所定の基準に合致する実績発電量を抽出することができるため、稼働を開始している発電所での発電量を実際の天候に応じて評価することができるという効果を奏する。
【００１７】
また、上記のように構成した本発明によれば、評価対象の発電所である評価発電所を特徴付ける項目に対応付けられた項目値が合致する発電所名を発電所情報記憶手段から取得し、取得した発電所名に対応付けられた発電情報を用いて算出した発電量を、実績発電情報記憶手段に記憶する日射量で補正した補正発電量を算出し、算出した補正発電量と、実績発電情報記憶手段に記憶する実績発電量を対比し、補正発電量に対し所定の基準に合致する実績発電量を抽出することができるため、稼働を開始している発電所での発電量を評価発電所の特徴と実際の天候に応じて評価することができるという効果を奏する。
【図面の簡単な説明】
【００１８】
【図１】実施例１にかかる太陽光発電量算出システム１０の構成を示すブロック図である。
【図２】発電情報記憶部１１０のデータ構成の一例を示す説明図である。
【図３】発電所情報記憶部１２０のデータ構成の一例を示す説明図である。
【図４】設計情報記憶部１３０のデータ構成の一例を示す説明図である。
【図５】発電量算出装置１００が実行する発電量算処理手順を示すフローチャートである。
【図６】発電量算出装置１００が実行する発電情報格納処理手順を示すフローチャートである。
【図７】実施例２にかかる太陽光発電量評価システム２０の構成を示すブロック図である。
【図８】発電量評価装置４００が実行する発電量評価処理手順を示すフローチャートである。
【図９】評価発電所の稼働期間の計画発電量と実績発電量のグラフの一例を示す説明図である。
【図１０】評価発電所の稼働期間の補正発電量と実績発電量のグラフの一例を示す説明図である。
【図１１】ある稼働年の月ごとの評価発電所の補正発電量と実績発電量のグラフの一例を示す説明図である。
【発明を実施するための形態】
【００１９】
以下、添付図面を参照し、本発明の実施例を説明する。なお、以下の説明は、実施の形態の一例であり、本発明は、これらの実施例に限定されるものではない。
【実施例１】
【００２０】
図１は、実施例１にかかる太陽光発電量算出システム１０の構成を示すブロック図である。図１に示すように、太陽光発電量算出システム１０は、発電量算出装置１００と遠隔監視装置２００を、インターネット、イントラネット、移動体通信網、専用回線等の通信ネットワーク１を介して通信可能に接続する。遠隔監視装置２００は、さらに太陽光発電所３００と通信ネットワークを介して通信可能に接続する。図１では、説明を簡便にするために、遠隔監視装置２００と太陽光発電所３００をそれぞれ１ずつ記載しているが、実際は複数の装置を接続してよい。
【００２１】
発電量算出装置１００は、遠隔監視装置２００を介して送信される太陽光発電所３００の設備の計測値から発電所ごとの発電情報を生成し、格納するとともに、格納された発電情報に基づき発電量を算出する情報処理装置である。なお、発電量算出装置１００は、１つの装置で構成する必要はなく、機能やデータを分割し、複数の装置で分担して実現してもよい。
【００２２】
遠隔監視装置２００は、太陽光発電所３００の設備と通信ネットワークを介して接続し、太陽光発電所３００の各設備で計測された計測値を受信し、受信した計測値から異常を判断した場合に警報を発報する情報処理装置である。太陽光発電所３００は、太陽光を利用した発電設備であり、太陽の光エネルギーを直流電力に変換する太陽電池パネル、太陽電池パネルで発電した直流電力を交流電力に変換するパワーコンディショナー（以下、ＰＣＳと示す）、太陽電池パネルで発電した電力を集約してＰＣＳへ送電する接続箱、ＰＣＳで変換された交流電力を電力会社の系統電圧にまで昇圧し、電力会社の高圧系統電力線に供給する受変電設備等の各設備を備える。
【００２３】
発電量算出装置１００の機能、構成について説明する。発電量算出装置１００は、発電情報記憶部１１０、発電所情報記憶部１２０、設計情報記憶部１３０、送受信部１０１、入力部１０２、発電情報算出部１０３、発電量算出部１０４、表示部１０５を備える。
【００２４】
図２は、発電情報記憶部１１０のデータ構成の一例を示す説明図である。発電情報記憶部１１０は、太陽光発電所ごとの各年の発電に関する情報を記憶する。具体的には、発電情報記憶部１１０は、発電所名と、発電量を算出するための稼働年ごとの発電情報（より具体的には、稼働年ごとの設備利用率）とを対応付けて記憶する。稼働年ごとの設備利用率に加え、さらに月ごとの設備利用率、各月の１日ごとの設備利用率を記憶してもよい。
【００２５】
ここで、年間の設備利用率とは、太陽光発電所が１年間のすべての時間発電した場合の発電量に対する実際の発電量の割合である。年間の設備利用率は、以下の式で算出される。
【００２６】
年間の設備利用率（％）＝〔実際の年間の発電電力量（ｋＷ時）÷（定格出力×３６５日×２４時間）〕×１００
【００２７】
図３は、発電所情報記憶部１２０のデータ構成の一例を示す説明図である。発電所情報記憶部１２０は、太陽光発電所に関する情報を記憶する。具体的には、発電所情報記憶部１２０は、発電所名と、発電所を特徴付ける項目とを対応付けて記憶する。発電所を特徴付ける項目は、具体的には、発電量、稼働開始年月日、太陽電池パネル種別、メーカー・太陽電池パネル型番、発電所を施工した建設会社、保守運用会社等である。なお、太陽光発電所は、近年に稼働を開始した発電所が多く移動期間が短いため、実測値に基づく太陽電池パネルの経年劣化率や発電所の設備利用率のデータは多く存在しない。したがって、設備利用率が太陽発電所のどのようなデータと相関関係があるのかはあまり明確ではない。このことを踏まえ、発電所情報記憶部１２０のデータ構造を固定とするのではなく、事後に項目を追加および削除できるようにしてもよい。
【００２８】
図４は、設計情報記憶部１３０のデータ構成の一例を示す説明図である。設計情報記憶部１３０は、太陽電池パネルメーカーによる設計値に基づく発電情報を記憶する。具体的には、設計情報記憶部１３０は、メーカー・太陽電池パネル型番と、稼働年ごとの太陽電池パネルメーカーによる設計値に基づき算出した設備利用率とを対応付けて記憶する。稼働年ごとの設備利用率に加え、さらに月ごとの設備利用率、各月の１日ごとの設備利用率を記憶してもよい。
【００２９】
送受信部１０１は、遠隔監視装置２００から送信されたデータを受信する。遠隔監視装置２００から送信されたデータは、太陽光発電所３００を識別する発電所名と、単位時間ごとの発電量である。太陽光発電所３００で計測される単位時間ごとの発電量は、リアルタイムで受信してもまとまった期間ごとに受信してもよい。なお、上述したデータは、遠隔監視装置２００を介さず太陽光発電所３００から直接受信してもよい。
【００３０】
入力部１０２は、発電量を算出する対象である発電所名および発電量を算出する期間を示す算出期間の入力を受付ける。また、入力部１０２は、通信ネットワーク１で接続していない、太陽光発電所で蓄積された単位時間ごとの発電量の入力を受付ける。入力部１０２は、発電量を算出する際に参照する発電所を選択するための項目の入力を受付ける。
【００３１】
発電情報算出部１０３は、送受信部１０１または入力部１０２から受付けた発電所名、単位時間ごとの発電量から発電所ごとの発電情報を生成する。ここでいう発電情報は、稼働開始から各年、各月、各月の１日ごとの設備利用率である。
【００３２】
発電量算出部１０４は、発電情報記憶部１１０に記憶されている発電所ごとの発電情報を参照し、発電量を算出する発電所（以下、対象発電所という）の発電量を算出する。具体的には、発電量算出部１０４は、入力部１０２で選択した１または複数の項目の項目値が合致する発電所の発電情報を取得し、取得した発電情報を用いて算出期間の発電量を算出する。なお、発電量を算出する場合には、対象発電所と発電情報を参照する発電所（以下、参照発電所という）に天気・気温、緯度経度、日射量等で差異がある場合は、天気・気温、緯度経度、日射量等で補正してもよい。
【００３３】
表示部１０５は、発電量算出部１０４で算出された算出期間の発電量を表示画面に表示する。
【００３４】
上述のように構成された発電量算出装置１００で実行する発電量算出処理について説明する。図５は、発電量算出装置１００が実行する発電量算出処理手順を示すフローチャートである。
【００３５】
入力部１０２は、対象発電所の発電所名および算出期間の入力を受付ける（ステップＳ５０１）。算出期間は、開始年月日と終了年月日のほか、稼働開始年月日（または任意の年月日）から２０年のような入力でもよい。入力部１０２は、発電所情報記憶部１２０に記憶されている項目のなかから参照発電所を選択するための項目の入力を受付ける（ステップＳ５０２）。これにより、発電情報記憶部１１０に記憶する太陽光発電所の数が少ないうちは、例えば太陽電池パネル種別が同一の発電所の発電情報を参照し、太陽光発電所の数が多くなってきた場合にはより細分化された項目であるメーカー・太陽電池パネル型番で発電所を選択することができる。
【００３６】
また、太陽光発電所の発電に関するデータが蓄積され、１または複数の項目と発電量との相関関係が見いだされた場合には、新たな相関関係を有する項目を選択することができる。新たに見いだされた相関関係が既存の項目以外の項目との関係である場合は、新たな項目を発電所情報記憶部１２０に追加したうえで、項目を選択してもよい。なお、選択対象となる項目は、発電所情報記憶部１２０から読込むようにしてもよい。
【００３７】
発電量算出部１０４は、選択された項目の項目値が対象発電所の項目値と一致する発電所名を発電所情報記憶部１２０から取得する（ステップＳ５０３）。発電量算出部１０４は、取得した発電所名に対応付けられた発電情報を発電情報記憶部１１０から取得する（ステップＳ５０４）。具体的には、発電量算出部１０４は、発電所名に対応付けられた、算出期間の各年の設備利用率を発電情報記憶部１１０から取得する。
【００３８】
発電量算出部１０４は、対象発電所の発電情報を算出する（ステップＳ５０５）。具体的には、発電量算出部１０４は、参照発電所の発電情報を用いて算出期間の稼働年ごとの設備利用率の平均値を算出し、対象発電所の各年の設備利用率とする。なお、既存の発電所の各年の設備利用率は、そのまま平均値を算出しても、発電所ごとの特徴（例えば発電量の範囲等）で重み付けをして算出してもよい。
【００３９】
また、参照発電所の発電情報が有効数存在しない稼働年の設備利用率は、メーカー・太陽電池パネル型番に応じた、稼働年ごとの設備稼働率を設計情報記憶部１３０から取得する。あるいは、参照発電所から算出された設備利用率をグラフ化し、近似曲線を求め、求めた近似曲線から算出する設備利用率を用いてもよい。
【００４０】
発電量算出部１０４は、各年の発電量と算出期間の総発電量を算出する（ステップＳ５０６）。具体的には、発電量算出部１０４は、対象発電所の各年の設備利用率と定格出力から発電量を算出し、さらに各年の発電量を加算し算出期間の総発電量を算出する。なお、発電量は、稼働年の各月ごとの設備利用率を用いて、各月の発電量を算出するとともに、各月の発電量を加算して各年の発電量を算出してもよい。発電量は、稼働年の各月の日ごとの設備利用率を用いて、各日の発電量を算出するとともに、各日の発電量を加算して各月、各年の発電量を算出してもよい。表示部１０５は、各年の発電量と算出期間の総発電量を表示画面に表示する（ステップＳ５０７）。各年の発電量と発電量算出期間の総発電量は、数値とともにグラフで表示してもよい。
【００４１】
次に、発電量算出装置１００で実行する発電情報格納処理について説明する。図６は、発電量算出装置１００が実行する発電情報格納処理手順を示すフローチャートである。
【００４２】
送受信部１０１は、遠隔監視装置２００から送信された発電所名と単位時間ごとの発電量とを受信する（ステップＳ６０１）。遠隔監視装置２００を介して送信される太陽光発電所３００のデータには、上述したデータのほか日射量や気温等を含んでもよい。
【００４３】
発電情報算出部１０３は、受信した発電所名と単位時間ごとの発電量から発電所ごとの発電情報、具体的には各年の設備利用率を算出する（ステップＳ６０２）。設備利用率は、年間の設備利用率のほか各月の設備利用率、各月の１日ごとの設備利用率を算出してもよい。発電情報算出部１０３は、算出した発電情報、具体的には各年の設備利用率を発電所名に対応付けて発電情報記憶部１１０に格納する（ステップＳ６０３）。
【００４４】
このように、既存の発電所から算出される発電情報、すなわち年間の設備利用率（および各月の設備利用率、各月の１日ごとの設備利用率）を用いて対象発電所の発電量を算出することができるため、設計値に基づく発電量よりも実測値に近い発電量を算出することができる。これにより、より正確な発電量を算出することができる。
【００４５】
また、実際に稼働している発電所の発電情報を記憶すればするほど、参照可能な発電所のデータが蓄積され、少数の特異な事例の影響を受けることが少なくなるとともに、メーカーが提供する設計値や想定値より実測値に近くなるため、太陽光発電所の発電量をより正確に算出することができる。また、どの項目の項目値が合致する発電所の発電情報を参照するかを選択することができるため、将来さまざまなデータが蓄積され、蓄積されたデータを解析することによって見いだされた相関関係に基づく発電所の発電情報を利用することができる。これにより、さらに正確に発電量を算出することができる。
【００４６】
本実施例では、建設会社や保守運用会社を発電所情報記憶部１２０の項目としている。これは、太陽光発電所の設備利用率が、建設会社の施工技術に応じた施工不良の有無や、保守運用会社の運転管理・保守点検業務の質によって稼働時間に影響を与え、設備利用率に差が生じるためである。このような項目を選択し、発電量を算出することによって、施工技術や運転管理・保守点検業務の質を発電量に反映することができる。
【００４７】
上述した実施例では、発電情報として設備利用率を用いたが、設備利用率に代えて他の数値、例えば稼働率を用いてもよい。稼働率は、遠隔監視装置２００から送信される単位時間の日射量と発電量から太陽光発電所３００が所定の時間に稼働しているか否かを判断し、判断した稼働可能時間（例えば日射量が所定量以上の時間）のうちの稼働時間（例えば発電量が所定量以上の時間）の割合から稼働率を算出する。
【実施例２】
【００４８】
上述した実施例１では、新たに太陽光発電所を稼働する際に、これまでに蓄積したさまざまな発電所での実績値に基づいて太陽光発電所の発電量を算出する処理について説明したが、次に、既に稼働を開始している太陽光発電所でのこれまでの発電量実績と、これからの発電量予測を評価する発電量評価装置、発電量評価方法および発電量評価プログラムについて説明する。
【００４９】
図７は、実施例２にかかる太陽光発電量評価システム２０の構成を示すブロック図である。図７に示すように、太陽光発電量評価システム２０は、発電量評価装置４００と遠隔監視装置２００を、通信ネットワーク１を介して通信可能に接続する。
【００５０】
発電量評価装置４００は、評価対象である太陽光発電所（以下、評価発電所という）において計測し蓄積した計測値に基づき、実績発電量と計画発電量、または実績発電量と日射量や他の発電情報で補正した発電量を対比し評価する情報処理装置である。なお、発電量評価装置４００は、１つの装置で構成する必要はなく、機能やデータを分割し、複数の装置で分担して実現してもよい。
【００５１】
発電量評価装置４００の機能、構成について説明する。発電量評価装置４００は、発電情報記憶部１１０、発電所情報記憶部１２０、設計情報記憶部１３０、実績発電情報記憶部４４０、計画発電情報記憶部４５０、送受信部１０１、入力部１０２、発電情報算出部１０３、発電量算出部４０４、表示部１０５、発電量対比部４０６を備える。発電量評価装置４００が備える各部のうち、上述した実施例１の発電量算出装置１００の各部と同一の番号のものは、ほぼ同一の機能、構成であるため、上述した説明を参照し、ここでの説明を省略する。なお、図７は、各部のデータの流れを示す矢印をすべて記載すると煩雑であるため省略する。
【００５２】
実績発電情報記憶部４４０は、評価発電所において計測された計測値を記憶する。実績発電情報記憶部４４０は、一例として、太陽光発電所全体の所定の稼働期間ごと、具体的には、稼働期間の各年、各月、さらに、各月の日ごと、時間ごとの発電量、日射量を記憶する。また、実績発電情報として、より詳細な所定の構成単位ごとの発電量（例えば、ＰＣＳごとの発電量や、ストリングごと、アレイごと、太陽電池パネルごと、セルごとの発電量等）が入手可能であれば、入手できたデータを記憶する。
【００５３】
ここで、ＰＣＳごとの発電量とは、１つのＰＣＳが管理している太陽電池パネルによって生成される発電量である。セルとは、太陽電池素子そのものであり、太陽電池の基本単位である。太陽電池パネルとは、セルを配列し、屋外で利用できるよう強化ガラス等で保護し、パッケージ化したものである。ストリングとは、太陽電池パネルを直列に接続した１つのまとまりをいう。アレイとは、太陽電池パネル複数枚を直列および／あるいは並列に接続したものである。
【００５４】
計画発電情報記憶部４５０は、評価発電所で当初計画されていた稼働年ごと、稼働年の月ごと、各月の日ごとの設備利用率を記憶する。なお、各設備利用率は、各年、各月、各日の想定日射量と、設備の経年劣化等による発電量の低下を加味し、さらにある程度の不測の事態や点検による発電停止による発電量の減少を想定し算出した値である。
【００５５】
発電量算出部４０４は、実施例１の発電量算出部１０４の機能に加え、計画発電量および補正発電量を算出する。計画発電量とは、計画発電情報記憶部４５０に記憶する稼働年ごと、稼働年の月ごと、各月の日ごとの設備利用率を用いて算出する評価発電所の稼働期間における発電量であり、稼働開始時に想定されていた評価発電所の発電量である。補正発電量とは、計画発電情報記憶部４５０に記憶する稼働年ごと、稼働年の月ごと、各月の日ごとの設備利用率を用い算出した計画発電量を、評価発電所で計測した日射量で補正し算出した発電量であり、過去の天候を加味した評価発電所で発電されるべき発電量である。また、補正発電量は、評価発電所を特徴付ける項目値が合致する発電所の設備利用率を発電情報記憶部１１０から取得し、取得した設備利用率を用い算出した発電量を、評価発電所で計測した日射量で補正し算出した発電量であり、過去の天候に評価発電所の特徴を加味した評価発電所で発電されるべき発電量であってもよい。
【００５６】
また、発電量算出部４０４は、評価発電所が実際に稼働した年（以下、実稼働年という）それぞれの実績発電量に基づいて、実稼働年以降計画稼働終了時までの評価発電所の予測発電量を算出する。例えば、発電量算出部４０４は、実稼働年それぞれの実績発電量をグラフ化し、近似曲線を用いて予測発電量を算出する等、公知のさまざまな方法で予測発電量を算出する。
【００５７】
発電量対比部４０６は、評価発電所の実績発電量と計画発電量とを、実稼働年ごと、実稼働月ごと、実稼働日ごとに対比する。より具体的には、発電量対比部４０６は、実績発電量が計画発電量以下、または実績発電量が計画発電量から所定の基準以下（例えば、実績発電量が計画発電量の８０％以下）等の、計画発電量に対し所定の基準に合致する実績発電量を抽出する。
【００５８】
また、発電量対比部４０６は、評価発電所の実績発電量と、発電量算出部４０４で算出した補正発電量とを、実稼働年ごと、実稼働月ごと、実稼働日ごとに対比し、所定の基準に合致する実績発電量を抽出する。さらに、実績発電情報として、所定の構成単位ごとの発電量を取得した場合には、それぞれの計画発電量または補正発電量について対比し、所定の基準に合致する実績発電量を抽出する。
【００５９】
上述したように構成した発電量評価装置４００で実行する発電量評価処理について説明する。図８は、発電量評価装置４００が実行する発電量評価処理手順を示すフローチャートである。
【００６０】
入力部１０２は、評価発電所の発電所名、発電所情報記憶部１２０に記憶する項目ごとの項目値、実績発電情報、計画発電情報の入力を受付ける（ステップＳ８０１）。入力部１０２は、発電所名、項目ごとの項目値を発電所情報記憶部１２０に記憶する。入力部１０２は、実績発電情報を実績発電情報記憶部４４０に、計画発電情報を計画発電情報記憶部４５０に格納する。発電量算出部４０４は、実稼働年（、実稼働月、実稼働日）それぞれの実績発電量および
実稼働年以降の予測発電量を算出する（ステップＳ８０２）。具体的には、発電量算出部４０４は、実績発電情報記憶部４４０に記憶する、評価発電所の実稼働年（、実稼働月、実稼働日）それぞれの実績発電量を取得する。発電量算出部４０４は、さらに、実稼働年それぞれの実績発電量をグラフ化し、実績発電量の値から近似曲線を生成し、生成した近似曲線から実稼働年以降の予測発電量を算出する。
【００６１】
発電量算出部４０４は、計画発電情報記憶部４５０に記憶した稼働年ごとの設備利用率から計画発電量を算出する（ステップＳ８０３）。発電量対比部４０６は、計画発電量と実績発電量を対比する（ステップＳ８０４）。より具体的には、発電量対比部４０６は、稼働年ごとの計画発電量と、稼働年に対応する実稼働年ごとの実績発電量を対比し、実績発電量が計画発電量以下、または実績発電量が計画発電量の所定の基準以下（例えば、計画発電量の８０％以下）等の、計画発電量に対し所定の基準に合致する実績発電量を抽出する。表示部１０５は、稼働年ごとの計画発電量、実績発電量＋予測発電量、計画発電量と実績発電量の対比結果である抽出した実績発電量を表示画面に表示する（ステップＳ８０５）。
【００６２】
図９は、評価発電所の稼働期間の計画発電量と実績発電量のグラフの一例を示す説明図である。表示画面１１は、評価発電所名“Ｘ発電所”の稼働期間の稼働年ごとの計画発電量、実績発電量＋予測発電量、計画発電量と実績発電量の対比結果を表示する。計画発電量１２は、計画発電情報記憶部４５０に記憶する稼働年ごとの設備稼働率から求めた計画発電量である。実績発電量１３は、実績発電情報記憶部４４０から取得した各年の実績発電量である。対比結果１４は、計画発電量に対し所定の基準に合致する実績発電量を示す。このように、計画発電量に対し所定の基準に合致する実績発電量を明確に示すことによって、発電に問題があった可能性のある稼働年を容易に判断することができる。予測発電量１５は、実績発電量から予測した発電量である。総発電量１６は、稼働期間（例えば、２０年）の稼働年ごとの計画発電量の総計と、実稼働年ごとの実績発電量と実稼働年以降稼働期間満了年までの予測発電量の総計を示す。
【００６３】
発電量算出部４０４は、実稼働年（、実稼働月、実稼働日）それぞれの補正発電量を算出する（ステップＳ８０６）。より具体的には、発電量算出部４０４は、稼働年の設備稼働率で算出した計画発電量を、対応する実稼働年の日射量で補正した、実稼働年ごとの補正発電量を算出する。また、発電量算出部４０４は、稼働月の設備稼働率で算出した計画発電量を、対応する実稼働月の日射量で補正した、実稼働月ごとの補正発電量を算出する。発電量算出部４０４は、稼働日の設備稼働率で算出した計画発電量を実稼働日の日射量で補正した、実稼働日ごとの補正発電量を算出する。他の補正発電量算出方法として、評価発電所の項目の項目値のいくつかが合致する１または複数の発電所の発電情報を発電情報記憶部１１０から取得し、取得した発電情報である設備稼働率を用いて発電量を算出し、算出した発電量を、対応する日射量で補正した補正発電量を算出する。これらにより、当初計画時の設備稼働率よりも実測値から算出した設備稼働率を用いることができるため、より現状に合った補正発電量を算出することができる。また、１または複数の項目値が合致した発電所の設備稼働率を用いることによって、評価発電所の特徴に合った設備稼働率で補正発電量を算出することができる。
【００６４】
発電量対比部４０６は、補正発電量と実績発電量を対比する（ステップＳ８０７）。より具体的には、発電量対比部４０６は、稼働年ごとの補正発電量と、稼働年に対応する実稼働年の実績発電量を対比し、実績発電量が補正発電量以下、または実績発電量が補正発電量の所定の基準以下（例えば、補正発電量の８０％以下）等の、補正発電量に対し所定の基準に合致する実績発電量を抽出する。また、発電量対比部４０６は、稼働年に加え、各月、各日の補正発電量と実績発電量を対比し、補正発電量に対し所定の基準に合致する実績発電量を抽出する。表示部１０５は、稼働年ごとの補正発電量、実績発電量＋予測発電量、補正発電量と実績発電量の対比結果である抽出した実績発電量を表示する（ステップＳ８０８）。
【００６５】
図１０は、評価発電所の稼働期間の補正発電量と実績発電量のグラフの一例を示す説明図である。表示画面２１は、評価発電所名“Ｘ発電所”の稼働期間の稼働年ごとの発電量を表示する。補正発電量２２は、発電量算出部４０４によって算出した補正発電量である。実績発電量２３は、図９と同様に実績発電情報記憶部４４０から取得した各年の実績発電量である。対比結果２４は、補正発電量に対し所定の基準に合致する実績発電量を示す。このように、補正発電量に対し所定の基準に合致する実績発電量を明確に示すことによって、発電実績に問題があった可能性のある稼働年を容易に判断することができる。予測発電量２５は、図９と同様に実績発電量から予測した発電量である。総発電量２６は、稼働期間の稼働年ごとの計画発電量の総計と、実稼働年ごとの実績発電量と実稼働年以降稼働期間満了年までの予測発電量の総計、補正発電量の総計を示す。
【００６６】
図１１は、ある稼働年の月ごとの評価発電所の補正発電量と実績発電量のグラフの一例を示す説明図である。表示画面３１は、評価発電所名“Ｘ発電所”の“Ｘ年”の稼働月ごとの発電量を表示する。補正発電量３２は、発電量算出部４０４によって算出された各月の補正発電量である。実績発電量３３は、実績発電情報記憶部４４０から取得したＸ年各月の実績発電量である。対比結果３４は、補正発電量に対し所定の基準に合致する実績発電量を示す。このように、各月の補正発電量に対しても所定の基準に合致する実績発電量を明確に示すことによって、発電実績に問題があった可能性のある稼働月を容易に判断することができる。年間発電量３５は、“Ｘ年”の計画年間発電量、実績年間発電量、補正年間発電量を示す。さらに、例えばＸ年１０月の各日の補正発電量と実績発電量のグラフ、稼働年、稼働月、稼働日それぞれのＰＣＳごと、ストリングごと、アレイごと、太陽電池パネルごと、セルごとのグラフを生成し表示してもよい。なお、図９、図１０、図１１に示すようなグラフで表示するほか、稼働年（、稼働月、稼働日）、実績発電量、計画発電量、補正発電量の数値を一覧表とし、所定の基準に合致する実績発電量の数値を別の色で表示するようにしてもよい。さらに、ＰＣＳごと、ストリングごと、アレイごと、太陽電池パネルごと、セルごとに数値を表示してもよい。
【００６７】
上述した表示画面を表示する指示の方法としては、稼働年、稼働月、稼働日を入力し、入力に応じた内容を表示するほか、例えば、図１０の稼働期間のうちの、さらに詳細を確認したい“Ｘ年”の実績発電量の棒グラフを指示することによって、図１１の“Ｘ年”の月ごとの発電量を示すグラフを表示し、さらに図１１の１０月の実績発電量の棒グラフを指示することによって、“Ｘ年”の１０月の日ごとの発電量を示すグラフを表示するようにしてもよい。これにより、稼働年ごとの大まかな発電量を把握したうえで段階的に細分化した、月ごと、日ごとの発電量を確認することができるため、評価発電所の問題の原因や課題を発見し易くなる。
【００６８】
このように、評価発電所の実績発電量と補正発電量を対比し評価することによって、評価発電所に対する評価を実績値に基づいて判断することができる。また、計画発電量や補正発電量に対する所定の基準に合致した実績発電量を認識しやすく表示することにより、問題がありそうな年や月、日、ＰＣＳ、ストリング、アレイ、太陽電池パネル、セル等を特定することができる。また、保守作業報告書等と突き合わせることによって、評価発電所の問題点や課題を明確に把握することができる。
【００６９】
他の実施例として、補正発電量を算出する際に、発電所情報記憶部１２０に記憶する項目に応じた項目値を評価発電所の項目値と合致させるのではなく、異なる項目値を選択し評価発電所と異なる条件での発電量を算出するシミュレーションする。例えば、保守運用会社の変更や保守運用方法や条件を変更することによって発電量が増加するシミュレーションを提示することにより、評価発電所の所有者や投資者に対し、収益改善方法を根拠とともに提示することが可能となる。
【００７０】
なお、評価発電所の実績発電情報として、評価発電所の日射量に関する情報を入手できない場合には、気象庁が提供する各地の日射量を取得し、実績発電情報記憶部４４０に格納する。気象庁で日射量を提供している地点と、評価発電所の所在地が異なる場合は、評価発電所の所在地に最も近い地点や、評価発電所の所在地の近傍で天候が類似している地点、または評価発電所の所在地の近傍の複数の地点の平均値等を用いてもよい。
【００７１】
また、上述した実施例では、実績発電量と計画発電量または補正発電量との対比によって発電所を評価したが、発電量に加えて、評価発電所での電流や電圧の測定値が得られれば、計画時または補正後の電流や電圧と対比することによって、所定の基準に合致する電流や電圧を確認できるようにしてもよい。
【００７２】
上述した実施例１、２は、発電設備を太陽光発電所に限る必要はなく、発電設備に関する情報を取得できれば、上述した処理を実行することができる。したがって、太陽光発電所のほか、設備が経年劣化し、設備の施工や管理・運用によって発電量が変化する設備、例えば風力発電所、水力発電所、その他の設備で実施してもよい。
【００７３】
発電量算出装置１００、発電量評価装置４００のハードウェア構成について説明する。発電量算出装置１００、発電量評価装置４００は、ＣＰＵ（Central Processing Unit）、ＲＯＭ（Read Only Memory）やＲＡＭ（Random Access Memory）等を備えた通常のコンピュータであり、ＲＯＭやＲＡＭに記憶したプログラムを動作させ、ＲＯＭやＲＡＭのほか、ＨＤＤ、光ディスク、メモリカードなどの一般的に利用される記憶媒体に記憶したデータを利用することによって、上述した構成や機能を実現する。
【００７４】
発電量算出装置１００、発電量評価装置４００で動作するプログラムは、インターネット等のネットワークに接続されたコンピュータ上に格納しておき、ネットワーク経由でダウンロードさせることにより提供しても、インストール可能な形式又は実行可能な形式のファイルでＣＤ−ＲＯＭ、ＤＶＤ等のコンピュータで読取り可能な記録媒体に記録して提供してもよい。
【００７５】
また、発電量算出装置１００、発電量評価装置４００とインターネット等のネットワークを介して通信可能に接続した、図示しない情報端末装置からリクエストを受付け、ＡＳＰ（Application Service Provider）、ＳａａＳ（Software as a Service）、またはクラウドコンピューティングで、上述した機能をサービスとして提供してもよい。
【００７６】
なお、本発明は、上述した実施の形態そのままに限定されるものではなく、実施段階ではその要旨を逸脱しない範囲で構成要素を変形して具体化することができる。また、上述した実施例に開示されている複数の構成要素は適宜組み合わせてもよく、上述した実施例に示される構成要素からいくつかの構成要素を削除してもよい。
【符号の説明】
【００７７】
１…ネットワーク、１０…発電量算出システム、１００…発電量算出装置、１０１…送受信部、１０２…入力部、１０３…発電情報算出部、１０４，４０４…発電量算出部、１０５…表示部、１１０…発電情報記憶部、１２０…発電所情報記憶部、１３０…設計情報記憶部、２００…遠隔監視装置、３００…太陽光発電所、４００…発電量評価装置、４０６…発電量対比部、４４０…実績発電情報記憶部、４５０…計画発電情報記憶部
【図１】
0006005318.tif 000002
【図２】
0006005318.tif 000003
【図３】
0006005318.tif 000004
【図４】
0006005318.tif 000005
【図５】
0006005318.tif 000006
【図６】
0006005318.tif 000007
【図７】
0006005318.tif 000008
【図８】
0006005318.tif 000009
【図９】
0006005318.tif 000010
【図１０】
0006005318.tif 000011
【図１１】
0006005318.tif 000012